(57)【要約】【課題】  ネクタイ利用者にとって、毎回のノット形成の位置取りと、着脱、取替えの煩わしさ、夏季の首回りの不快感は悩みの種である。【解決手段】  長さが通常のネクタイ全長の半分程で、小剣部を除いた大剣部だけのハーフタイＡを用いて、１本の細い長尺の紐２をループ状にして、両端部を揃えて錘３に結合させ、ループの途中にはノットを形成する逆三角状の受板４を設け、受板４に空けた四つの穴にそれぞれ紐２を凹凸に通して上下移動可能にし、受板４の下方には細長いコイル状の紐止め５が設けられ、２本の紐２が合わせて通されて紐束２１となり、錘３に到達するべくなされ、ループ状になっている紐２の頂点部に左右滑り止めとなる結びコブ６が設けられた、通常の感覚でノットの形成が出来て、着脱、取替えが容易で、首にかかる負担が軽減するハーフタイ装着補助具１である。【選択図】図１
2009287135.tif 000002
【特許請求の範囲】
【請求項１】
長さが通常のネクタイ全長の半分程で、小剣部側を除いた大剣部（Ａ２）側だけのハーフタイ（Ａ）を装着する補助具（１）であって、１本の細い長尺の紐（２）をループ状にして、先端と終端を揃えて錘（３）と共に結合し、ループ状になった紐（２）の中ほどには、ハーフタイ（Ａ）のノット形成の芯となる逆三角形状の薄い受板（４）が取り付けられていて、この受板（４）には上部の底辺部両隅に左右対称の２つの穴（４１、４２）と、下部の頂点部近傍に左右対称の２つの穴（４３、４４）があけられていて、左右の紐（２）は、受板（４）の上部底辺部の穴（４１、４２）には裏側から表側に、下部頂点部の穴（４３、４４）には表側から裏側に、側面に沿って左右対称に通されていて、これにより、この受板（４）は、左右の紐（２）を通しながら上下に移動可能になっており、受板（４）の下部頂点部の穴（４３、４４）から出ている２本の紐（２）は細長いコイル状の紐止め（５）に通されて紐束（２１）となり、この紐止め（５）は、紐束（２１）を通しながら上下に移動可能であって、紐止め（５）からでた紐束（２１）は錘（３）に到達しており、かつループ状になされている紐（２）の頂点部には結びコブ(６)が設けられている事を特徴とするハーフタイ装着補助具（１）。
【発明の詳細な説明】
【技術分野】
【０００１】
この発明は、長さが通常のネクタイ全長の半分程で、小剣部側を除いた大剣部Ａ２側だけのハーフタイＡを用い、ノット形成の位置取りに迷わず、通常にネクタイを装着するのと同じ感覚でノットを形成したり、着脱や取替えが容易で、首にかかる負担も軽減するハーフタイ装着補助具に関する。
【背景技術】
【０００２】
従来の簡易ネクタイは、例えば下記の特許文献に示すように完成状態にノットを形成加工したものを、紐、ゴム紐、ホック、ファスナー等を使用して、着脱容易に衿元に固定するネクタイを提供しているものが主流であった。
【特許文献１】特開２００２−５４０１３
【発明の開示】
【発明が解決しようとする課題】
【０００３】
通常、ネクタイ利用者にとって、毎回のネクタイ装着時のノット形成の位置取りや、その着脱や取替えの煩わしさ、及び、夏季の暑い状況下での首回りの不快感は悩みの種である。また上記従来の簡易ネクタイは、一本づつ完成加工することでネクタイ結びの煩わしさは無いが、固定されたノットは見た目にいかにも硬く、汚れやすく、かつきれいに落としにくい。多種の柄を自由に選びたい者にとって、全て完成加工しておくことは面倒であり、不経済である。
【０００４】
そこで、この発明は、長さが通常のネクタイ全長の半分程で、小剣部側を除いた大剣部Ａ２側だけのハーフタイＡを用いて、ノット形成の位置取りに迷いなく、通常のネクタイを装着するのと同じ感覚でノットを形成したり、着脱や取替えが容易で、首にかかる負担の軽減を提供することを課題とする。
【課題を解決するための手段】
【０００５】
以上の課題を解決するために、長さが通常のネクタイ全長の半分程で、小剣部側を除いた大剣部Ａ２側だけのハーフタイＡを装着する補助具１であって、１本の細い長尺の紐２をループ状にして、先端と終端を揃えて錘３と共に結合し、ループ状になった紐２の中ほどには、ハーフタイＡのノット形成の芯となる逆三角形状の薄い受板４が取り付けられていて、この受板４には上部の底辺部両隅に左右対称の２つの穴４１、４２と、下部の頂点部近傍に左右対称の２つの穴４３、４４があけられていて、左右の紐２は、受板４の上部底辺部の穴４１、４２には裏側から表側に、下部頂点部の穴４３、４４には表側から裏側に、側面に沿って左右対称に通されていて、これにより、この受板４は、左右の紐２を通しながら上下に移動可能になっており、受板４の下部頂点部の穴４３、４４から出ている２本の紐２は細長いコイル状の紐止め５に通されて紐束２１となり、この紐止め５は、紐束２１を通しながら上下に移動可能であって、紐止め５からでた紐束２１は錘３に到達しており、かつループ状になされている紐２の頂点部には結びコブ６が設けられている事を特徴とするハーフタイ装着補助具１である。
【発明の効果】
【０００６】
本発明によれば、着用する人が、自身の身長や素材の形状に合わせてあらかじめ決めた長さで、小剣部側を除いた大剣部Ａ２側だけのハーフタイＡを用いることで、ノット形成の位置取りに迷いがなく、通常のネクタイを装着するのと同じ感覚でノットを形成したり、着脱も容易で、一つの補助具で使いまわしが出来ることで、他の柄に取替ることも容易になり、経済的で、細い紐２で大剣部Ａ２側だけの軽いハーフタイＡを支えることで首にかかる負担も軽減され、夏季のクールビズ対策にも有効なものとなる。
【発明を実施するための最良の形態】
【０００７】
以下、本発明の詳細は、実施例に沿って詳しく説明する。
【実施例】
【０００８】
１本の細い長尺の紐２をループ状にして、先端と終端を揃えて錘３と共に結合し、ループ状になった紐２の中ほどには、ハーフタイＡのノット形成の芯となる逆三角形状の薄い受板４が取り付けられていて、この受板４には上部の底辺部両隅に左右対称の２つの穴４１、４２と、下部の頂点部近傍に左右対称の２つの穴４３、４４があけられていて、左右の紐２は、受板４の上部底辺部の穴４１、４２には裏側から表側に、下部頂点部の穴４３、４４には表側から裏側に、側面に沿って左右対称に通されていて、これにより、この受板４は、左右の紐２を通しながら上下に移動可能になっており、受板４の下部頂点部の穴４３、４４から出ている２本の紐２は細長いコイル状の紐止め５に通されて紐束２１となり、この紐止め５は、紐束２１を通しながら上下に移動可能であって、紐止め５からでた紐束２１は錘３に到達しており、かつループ状になされている紐２の頂点部には結びコブ６が設けられている事を特徴とするハーフタイ装着補助具１である。
【０００９】
本実施例では、紐２として、直径１〜２ｍｍ、約１ｍ程の長さで、細くても強く、張りのある化学繊維の丸打ちの組紐を用い、ループ状になされている紐２の頂点部に紐２を結び、この結び目の上にゴム樹脂を塗布して結びコブ６を形成させた。受板４としては、厚さ１、２ｍｍ程の薄くても丈夫で軽い合成樹脂を用い、受板４に設けた４つの穴４１，４２，４３，４４は紐２の直径の２.５倍程の丸い穴とし、穴の周囲の角面は、受板４の上下移動に無理がなく、かつ紐２の破損を防止する程度の面取り加工を施した。紐止め5としては、線径０，９ｍｍ程の８〜１０回巻のメッキ加工の圧縮コイルを使用した。錘３としては、紐束２１に張りが出来る程度で重さ５〜７ｇの滑りの良いメッキ加工の金属製を用いた。
【００１０】
次に、本実施例のハーフタイ装着補助具１を実際に使用するときの手順につき図１、図２、図３を用いて説明する。
【００１１】
本発明のハーフタイ装着補助具１を効果的に使用するハーフタイＡとしては、通常のネクタイ全長の略２分の１となる長さで切断して、切断部Ａ１から小剣部側を除き、切断部Ａ１から大剣部Ａ２側を使用するものである。その長さは着用する人の身長や、好み、ネクタイの厚み、巾の形状により変化させることが出来る。
【００１２】
図２は、ハーフタイＡを装着補助具１を用いて着用する時の１実施例を裏側(シャツ側)から見た説明図である。
【００１３】
まず、ループ状の紐２をシャツ衿中に通し、紐束２１をつまんで下方に引き、ループ状の紐２の頂点部に設けた結びコブ６を後頭部下に位置させ、紐２に通した受板４をノットを形成しやすい位置に移動させ、あらかじめ決めてある長さのハーフタイＡの切断部Ａ１側先端を受板４の表側の下部頂点部に向け、ハーフタイＡの裏側と受板４と向き合う形にして、受板４の頂点部から下方に１〜２ｃｍ垂らし、受板４の上で共に指ではさみ、このはさんだ指を軸にして、通常のネクタイを装着するのと同じ感覚でノットを形成させ、はさんだ指を抜いて受板４をノットの芯にして形を整える。ノットを形成したハーフタイＡの表側から見た状態を図３に示す。ついで紐束２１を片手でつまんで下方に引きながら、もう一方の手でハーフタイＡの形成したノットを、芯となっている受板４と共に、シャツ衿元に引き上げて再度形を整えて、紐止め５をノットの芯となっている受板４の下部頂点部のすぐ下に移動させ、紐止め５より下方に垂れ下った紐束２１と終端の錘３を、大剣部裏の小剣通しに通すか、シャツ上ボタンとボタンの間より内側に落として紐束２１のたるみを取り除き、装着を完成させる。
【００１４】
紐２中央部の結びコブ６は首後ろに位置して左右の滑り止めとなり、紐２に丸打の組紐を使用することで、細くても硬く張りがあり、シャツ衿に通しやすい。また、シャツ衿元でのハーフタイＡの固定は、ノットの芯である受板４に設けた４個の穴に紐２を通すことで初期的な紐止めとなり、コイル状紐止め５の効果が強まる。ハーフタイＡの形成したノットは受板４が薄い板であることで解けにくく、受板４からノットを解く時は、小剣通しに通したか、あるいはシャツ内側に落とした紐束２１、錘３を外に取り出し、紐束２１を片手でつまみ下方に引きながらもう一方の手で、紐止め５を下ろし、続いてノットを形成している受板４をそのまま一緒に引き下ろして、ノット形成の上部の底辺部両端を軽く持ち上げることで簡単に解くことができる。
【００１５】
本実施例では、ループ状になされている紐２の頂点部に設けた結びコブ６は、左右滑り止めとして形成したが、結びコブ６に代えて、衿布に差し障りない突起物、例えば円筒形の様なもので良い。
【産業上の利用可能性】
【００１６】
以上、長さが通常のネクタイ全長の半分程で、小剣部側を除いた大剣部Ａ２側だけのハーフタイＡを用いることで、全体が軽く、首回りの細い紐２にかかる負担が軽減され窮屈感が無いので夏季のクールビズ対策として有効で、利用出来る。
【図面の簡単な説明】
【００１７】
【図１】この発明の実施例を示す説明図である。
【図２】本発明の補助具を実際にハーフタイに使用してノットを形成させる手順の１例を示す説明図。
【図３】手順が完成してノットを形成させた状態を示す説明図。
【符号の説明】
【００１８】
１    装着補助具
２    紐、                
２１  紐束
３    錘、
４    受板                      
４１、４２、４３、４４    穴
５    紐止め
６    結びコブ
Ａ    ハーフタイ
Ａ１  切断部
Ａ２  大剣部
【図１】
2009287135.tif 000003
【図２】
2009287135.tif 000004
【図３】
2009287135.tif 000005